(57)【要約】【課題】単純マトリックス型の液晶駆動パネルの駆動周波数をそれほど上げずに多階調表示させる。【解決手段】与えられる表示信号の表示タイミングに同期して、液晶表示パネル１８の各走査電極を順次走査して選択駆動するための走査電極駆動タイミング信号、及び液晶表示パネルの各信号電極に表示信号を書込むための信号電極駆動タイミング信号を発生する基本タイミング信号発生回路１２と、走査電極駆動タイミング信号に基づき、液晶表示パネル１８の各走査電極を互いに時間長の異なる複数ｎのフレームに分割して選択駆動する走査電極駆動回路１４と、信号電極駆動タイミング信号に基づき、液晶表示パネル１８の各信号電極に対して、走査電極駆動回路１４が分割した時間長の異なる複数ｎのフレーム毎に対応した表示信号を書込む信号電極駆動回路１５とを備える。【選択図】　　図１
2004093665.tif 000002
【特許請求の範囲】
【請求項１】
単純マトリックス型の液晶表示パネルを表示駆動する液晶駆動装置であって、
与えられる表示信号の表示タイミングに同期して、上記液晶表示パネルの各走査電極を順次走査して選択駆動するための走査電極駆動タイミング信号、及び上記液晶表示パネルの各信号電極に表示信号を書込むための信号電極駆動タイミング信号を発生するタイミング信号発生手段と、
上記走査電極駆動タイミング信号に基づき、上記液晶表示パネルの各走査電極を互いに時間長の異なる複数ｎのフレームに分割して選択駆動する走査電極駆動手段と、
上記信号電極駆動タイミング信号に基づき、上記液晶表示パネルの各信号電極に対して、上記走査電極駆動手段が分割した時間長の異なる複数ｎのフレーム毎に対応した表示信号を書込む信号電極駆動手段と
を具備したことを特徴とする液晶駆動装置。
【請求項２】
上記走査電極駆動手段が各走査電極毎に分割して駆動する時間長の異なる複数ｎのフレームは、最も時間長の短いフレームを基準として順次その時間長の比を２とすることを特徴とする請求項１記載の液晶駆動装置。
【請求項３】
単純マトリックス型の液晶表示パネルを表示駆動する液晶駆動方法であって、
与えられる表示信号の表示タイミングに同期して、上記液晶表示パネルの各走査電極を順次走査して選択駆動するための走査電極駆動タイミング信号、及び上記液晶表示パネルの各信号電極に表示信号を書込むための信号電極駆動タイミング信号を発生し、
上記走査電極駆動タイミング信号に基づき、上記液晶表示パネルの各走査電極を互いに時間長の異なる複数のフレームに分割して選択駆動しながら、
上記信号電極駆動タイミング信号に基づき、上記液晶表示パネルの各信号電極に対して、上記分割した時間長の異なる複数のフレーム毎に対応した表示信号を書込む
ことを特徴とする液晶駆動方法。
【発明の詳細な説明】
【０００１】
【発明の属する技術分野】
本発明は、単純マトリックス型の液晶表示パネルで階調表示を行なう液晶駆動装置及び液晶駆動方法に関する。
【０００２】
【従来の技術】
従来より単純マトリックス型の液晶表示パネルで階調表現を行なう方法として、一般的に「フレーム間引き」と称されるものがある。このフレーム間引きでは、複数のフレームで１つの画像を表示する１サイクルを構成し、各画素毎に１サイクル中でオン／オフの２階調表示を行なうフレーム数を選択することで中間調を表現する。したがってこのフレーム間引きでは、複数ｎフレームで表現できる階調数は全フレームオフから全フレームオンに至る「ｎ＋１」となる。
【０００３】
【発明が解決しようとする課題】
上述したフレーム間引きによる階調表示は、比較的簡単な構成回路で実現できるものの、信号電極を表示駆動するドライバ回路の出力変化量が大きく、クロストークが発生し易いという不具合がある。
【０００４】
このクロストークを減少させるための手法として、走査電極の交流駆動周期を大きくすることも考えられるが、その効果が充分ではない上、逆に画面のちらつきが目立つなどの悪影響が生じることにもなる。
【０００５】
加えて、表示しようとする階調数を上げようとすると、１サイクルを構成するフレーム数が多くなるため、特に表示データの書換えを高速で行なわなくてはならない動画像の表示などには適していない。
【０００６】
また、液晶表示パネルの駆動周波数を上げようとした場合、上記フレーム間引きでは１フレーム当りの選択期間がごく短くなってしまうため、駆動波形に歪みを生じ易く、この点でさらにクロストークの発生を促進してしまうという不具合がある。
【０００７】
本発明は上記のような実情に鑑みてなされたもので、その目的とするところは、単純マトリックス型の液晶駆動パネルの駆動周波数をそれほど上げずとも多階調表示させることが可能な液晶駆動装置及び液晶駆動方法を提供することにある。
【０００８】
【課題を解決するための手段】
請求項１記載の発明は、単純マトリックス型の液晶表示パネルを表示駆動する液晶駆動装置であって、与えられる表示信号の表示タイミングに同期して、上記液晶表示パネルの各走査電極を順次走査して選択駆動するための走査電極駆動タイミング信号、及び上記液晶表示パネルの各信号電極に表示信号を書込むための信号電極駆動タイミング信号を発生するタイミング信号発生手段と、上記走査電極駆動タイミング信号に基づき、上記液晶表示パネルの各走査電極を互いに時間長の異なる複数ｎのフレームに分割して選択駆動する走査電極駆動手段と、上記信号電極駆動タイミング信号に基づき、上記液晶表示パネルの各信号電極に対して、上記走査電極駆動手段が分割した時間長の異なる複数ｎのフレーム毎に対応した表示信号を書込む信号電極駆動手段とを具備したことを特徴とする。
【０００９】
このような構成とすれば、単純マトリックス型の液晶駆動パネルの駆動周波数をそれほど上げずとも多階調表示させることが可能となる。
【００１０】
請求項２記載の発明は、上記請求項１記載の発明において、上記走査電極駆動手段が各走査電極毎に分割して駆動する時間長の異なる複数ｎのフレームは、最も時間長の短いフレームを基準として順次その時間長の比を２とすることを特徴とする。
【００１１】
このような構成とすれば、上記請求項１記載の発明の作用に加えて、複数ｎのフレームに分割して１つの画像を表示することで２ｎ　段階の階調表現を効率よく実現できる。
【００１２】
請求項３記載の発明は、単純マトリックス型の液晶表示パネルを表示駆動する液晶駆動方法であって、与えられる表示信号の表示タイミングに同期して、上記液晶表示パネルの各走査電極を順次走査して選択駆動するための走査電極駆動タイミング信号、及び上記液晶表示パネルの各信号電極に表示信号を書込むための信号電極駆動タイミング信号を発生し、上記走査電極駆動タイミング信号に基づき、上記液晶表示パネルの各走査電極を互いに時間長の異なる複数のフレームに分割して選択駆動しながら、上記信号電極駆動タイミング信号に基づき、上記液晶表示パネルの各信号電極に対して、上記分割した時間長の異なる複数のフレーム毎に対応した表示信号を書込むことを特徴とする。
【００１３】
このような方法とすれば、単純マトリックス型の液晶駆動パネルの駆動周波数をそれほど上げずとも多階調表示させることが可能となる。
【００１４】
【発明の実施の形態】
以下本発明の実施の一形態について図面を参照して説明する。
【００１５】
なお、本実施の形態では表示駆動対象となる単純マトリックス型の液晶表示パネルを構成する各画素を（２３　＝）８段階の階調で表示するものとする。
【００１６】
図１は、本実施の形態に係る液晶駆動装置１０の回路構成を示すものである。同図で、アナログ値のカラー信号であるＲ信号、Ｇ信号及びＢ信号が共にＡ／Ｄ変換器１１に入力される一方で、上記Ｒ信号、Ｇ信号及びＢ信号に同期した複合同期信号Ｃ−ｓｙｎｃが基本タイミング信号発生回路１２に入力される。
【００１７】
Ａ／Ｄ変換器１１は、入力されたＲ信号、Ｇ信号及びＢ信号をそれぞれ３ビットのデジタル信号に変換してメモリ制御回路１３へ出力する。
【００１８】
基本タイミング信号発生回路１２は、複合同期信号Ｃ−ｓｙｎｃに基づいて各種タイミング信号を発生し、発生したタイミング信号を上記メモリ制御回路１３、走査電極駆動回路１４、及び信号電極駆動回路１５へ送出する。
【００１９】
メモリ制御回路１３は、Ａ／Ｄ変換器１１から入力されたデジタル値のＲ信号、Ｇ信号及びＢ信号を一旦ＶＲＡＭ、ビデオＲＡＭ等とも称される画像メモリ１６に記憶した上で、この画像メモリ１６から必要なＲ信号、Ｇ信号及びＢ信号をビット単位で読出して上記信号電極駆動回路１５へ与える。
【００２０】
走査電極駆動回路１４は、基本タイミング信号発生回路１２からのタイミング信号に基づき、駆動電源発生回路１７から供給される複数レベルの走査電圧を持って、駆動対象となる液晶表示パネル１８の各走査電極を互いに時間長の異なる複数ｎのフレームに分割して順次選択駆動する。
【００２１】
信号電極駆動回路１５は、基本タイミング信号発生回路１２からのタイミング信号と駆動電源発生回路１７が供給する駆動電圧とに基づき、メモリ制御回路１３から与えられるＲ信号、Ｇ信号及びＢ信号の内容による、上記走査電極駆動回路１４が分割した時間長の異なる複数ｎのフレーム毎に対応した電圧波形を作成して、駆動対象の液晶表示パネル１８の各信号電極に印加する。
【００２２】
次に上記実施の形態の動作について説明する。
【００２３】
図２は、１サイクルを３フレームに分割して１枚の画像を表示する場合の一部の走査電極Ｙ１，Ｙ２，Ｙ３に印加される選択の過程を例示する。ここでは、第１乃至第３フレームで１サイクルを構成し、且つ各フレームは互いに時間長の異なるものとする。
【００２４】
具体的には、図中の“Ｈ”レベルにある状態がその走査電極の選択期間であり、反対に“Ｌ”レベルにある状態が非選択期間であって、例えば最も時間長の短い第３フレームの１水平期間を基準値「１」とした場合に、第２フレームが「２」、第１フレームが「４」となるように時間長による「重みづけ」を行なうものとする。
【００２５】
図３は、例えば液晶表示パネル１８の走査電極が２４０本ある場合の１サイクルにおける各走査電極の選択駆動タイミングを示すものである。同図に示す如く、１サイクル中の当初には重みづけ「４」の第１フレームにて全走査電極Ｙ１〜Ｙ２４０を順次選択走査し、それから重みづけ「２」の第２フレームにて同様に全走査電極Ｙ１〜Ｙ２４０を再び順次選択走査し、最後に重みづけ「１」の第３フレームにて全走査電極Ｙ１〜Ｙ２４０を三度順次選択走査する、というものである。
【００２６】
このような走査電極の駆動に同期して、信号電極駆動回路１５では図４に示すような階調表現を行なうべく液晶表示パネル１８の各信号電極に表示信号に対応した波形の電圧を印加する。
【００２７】
すなわち図４は、信号電極駆動回路１５が上記走査電極の第１乃至第３フレームの走査タイミングに同期して各信号電極に印加する電圧波形を例示するものであり、上述した如く時間長の異なる３フレームにより１サイクルを構成して階調表示を行なうため、ここでは階調「０」乃至「７」の計８（＝２３　）階調を表現することが可能となる。
【００２８】
同図（２）〜（９）では“Ｈ”レベルにある時にその走査電極と信号電極の交点となる画素を点灯駆動するもので、例えば、図４（７）に示す階調「５」を表示する際には、１０進数の数値「５」が３ビットの２進数で「１０１」と表現されるように、第１フレームと第３フレームで当該信号電極への印加電圧を“Ｈ”レベルとする。
【００２９】
このように、単純マトリックス型の液晶表示パネル１８の駆動周波数をそれほど上げずとも、多階調表示を実現することが可能となる。
【００３０】
なお、特に上記実施の形態では、１サイクルを構成する複数のフレームの時間長を、最も時間長の短いフレームを基準として２倍、４倍となるように公比を「２」とした等比数列状に設定するものとした。
【００３１】
これにより、複数ｎのフレームに分割して１つの画像を表示することで２ｎ　段階の階調表現を効率よく実現できるようになる。
【００３２】
しかしながら、本発明は上記実施の形態のような複数フレーム間の時間長の比「２」に限定するものではなく、当然ながらその他の比、例えば「３」等を用いるものとしてもよい。
【００３３】
その他、本発明は上記実施の形態に限らず、その要旨を逸脱しない範囲内で種々変形して実施することが可能であるものとする。
【００３４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００３５】
【発明の効果】
請求項１記載の発明によれば、単純マトリックス型の液晶駆動パネルの駆動周波数をそれほど上げずとも多階調表示させることが可能となる。
【００３６】
請求項２記載の発明によれば、上記請求項１記載の発明の効果に加えて、複数ｎのフレームに分割して１つの画像を表示することで２ｎ　段階の階調表現を効率よく実現できる。
【００３７】
請求項３記載の発明によれば、単純マトリックス型の液晶駆動パネルの駆動周波数をそれほど上げずとも多階調表示させることが可能となる。
【図面の簡単な説明】
【図１】本発明の実施の一形態に係る液晶駆動装置の回路構成を示すブロック図。
【図２】同実施の形態に係る走査電極が複数フレームに分割して選択駆動される状態を説明する図。
【図３】同実施の形態に係る各走査電極の選択駆動タイミングを示す図。
【図４】同実施の形態に係る走査電極の選択タイミングに対応した信号電極での階調信号を例示する図。
【符号の説明】
１０…液晶駆動装置
１１…Ａ／Ｄ変換器
１２…基本タイミング信号発生回路
１３…メモリ制御回路
１４…走査電極駆動回路
１５…信号電極駆動回路
１６…画像メモリ
１７…駆動電源発生回路
１８…液晶表示パネル
【図１】
2004093665.tif 000003
【図２】
2004093665.tif 000004
【図３】
2004093665.tif 000005
【図４】
2004093665.tif 000006